(57)【要約】【課題】  破砕中は作業者の労力を要せずに安全に作業でき、しかも比較的小さい動力で大型のクラゲを破砕できる低コストのクラゲ駆除装置を提供する。【解決手段】  少なくとも下部が漏斗状で上面は広く開放され漏斗部分の下端は排出口が開口された回収槽４と、その回収槽４を海面下に沈むように吊下して浮遊させるフロート３と、回収槽４内の排出口上方でクラゲＫを破砕してその破砕物を排出口へ送り込む破砕羽根５と、終端又は途中に吸引ポンプ１０を備え回収槽４の排出口に接続されて船体９又は地上まで配管される回収管８とで構成し、クラゲＫを回収槽４内で破砕羽根５により破砕してその破砕物を回収管８を通じて船体９又は地上へ圧送できるようにした。【選択図】  図１
2011055775.tif 000002
【特許請求の範囲】
【請求項１】
少なくとも下部が漏斗状で上面は広く開放され漏斗部分の下端は排出口が開口された回収槽と、その回収槽を海面下に沈むように吊下して浮遊させるフロートと、回収槽内の排出口上方でクラゲを破砕してその破砕物を排出口へ送り込む破砕羽根と、終端又は途中に吸引ポンプを備え回収槽の排出口に接続されて船体又は地上まで配管される回収管とで構成し、クラゲを回収槽内で破砕羽根により破砕してその破砕物を回収管を通じて船体又は地上へ圧送できるようにした、クラゲ駆除装置。
【請求項２】
破砕羽根を回収槽の排出口に対して上下方向へ移設可能に取り付け、その破砕羽根の先端と回収槽の漏斗面との間の間隔を調整できるようにした、請求項１記載のクラゲ駆除装置。
【発明の詳細な説明】
【技術分野】
【０００１】
本発明は、クラゲ駆除装置に関する。
【背景技術】
【０００２】
従来のクラゲ駆除装置が特許文献１，２に開示されている。特許文献１に記載の技術は、上端が閉塞された円筒状のケーシング内にモーターで駆動するスクリュー羽根を設け、ケーシングの下端に吸込口を開口し、ケーシングの上部側壁に排出口を開口した構成を特徴としている。この技術によれば、ケーシングの吸込口を海面下に沈めてスクリュー羽根を回転させると、ケーシング内が減圧されてクラゲが吸込口から吸い込まれ、そのクラゲがスクリュー羽根で破砕されながら上方へ移送され、その破砕物が排出口から排出されるというものである。
【０００３】
特許文献２に記載の技術は、下端に取込口と上端に排出口が開口された筒体内に吸引ポンプとカッターを設け、その吸引ポンプとカッターを駆動するタービンを筒体内に設け、筒体の外部に筒体を海面に浮遊させるフロートを取り付け、タービンに圧力水を供給して回転させる圧力水供給機を船体に搭載した構成を特徴としている。この技術によれば、吸引ポンプを海面下に沈めて吸引ポンプとカッターを作動させると、クラゲが海水ごと筒体の取込口から吸引され、そのクラゲがカッターで破砕されて上方へ移送され、その破砕物と海水が排出口から排出されるというものである。
【０００４】
ところで、特許文献１記載の技術では、ケーシング内を減圧し且つ大量のクラゲを上方へ移送するためには高出力のモーターが必要であるから、装置が高コストとなり、駆動にも電力を要する問題があった。また、破砕中は船体に乗っている作業者がケーシングの上端に備えたハンドルを持って装置を支えておく必要があるから、危険で労力を伴い、１ｍを超えるような大型のクラゲには対応できなかった。一方、特許文献２記載の技術では、タービンに圧力水を送水するための圧力水管と圧力水供給機を別途設ける必要があり、装置の構造が複雑で高コストとなる問題があった。
【先行技術文献】
【特許文献】
【０００５】
【特許文献１】特開２００２−１２５号公報
【特許文献２】特開２００８−１６７７０７号公報
【発明の概要】
【発明が解決しようとする課題】
【０００６】
本発明が解決しようとする課題は、従来のこれらの問題点を解消し、破砕中は作業者の労力を要せずに安全に作業でき、しかも比較的小さい動力で大型のクラゲを破砕できる低コストのクラゲ駆除装置を提供することにある。
【課題を解決するための手段】
【０００７】
かかる課題を解決した本発明の構成は、
１）  少なくとも下部が漏斗状で上面は広く開放され漏斗部分の下端は排出口が開口された回収槽と、その回収槽を海面下に沈むように吊下して浮遊させるフロートと、回収槽内の排出口上方でクラゲを破砕してその破砕物を排出口へ送り込む破砕羽根と、終端又は途中に吸引ポンプを備え回収槽の排出口に接続されて船体又は地上まで配管される回収管とで構成し、クラゲを回収槽内で破砕羽根により破砕してその破砕物を回収管を通じて船体又は地上へ圧送できるようにした、クラゲ駆除装置
２）  破砕羽根を回収槽の排出口に対して上下方向へ移設可能に取り付け、その破砕羽根の先端と回収槽の漏斗面との間の間隔を調整できるようにした、前記１）記載のクラゲ駆除装置
にある。
【発明の効果】
【０００８】
本発明によれば、クラゲ駆除装置がフロートで浮遊するから、作業者は従来技術のように船体からクラゲ駆除装置を支えておく必要がなく、作業に労力を伴うことなく安全に行える。また、従来技術のようにクラゲを海上へ吸い上げないから、クラゲが１ｍ以上の大型の個体であっても比較的低出力のモーター及び吸引ポンプでクラゲを破砕羽根まで容易に誘導して破砕でき、クラゲ駆除装置の製作及び駆除作業を低コストで実施できるようになる。
【図面の簡単な説明】
【０００９】
【図１】実施例のクラゲ駆除装置の使用状態を示す説明図である。
【図２】実施例のクラゲ駆除装置の一部切欠き側面図である。
【図３】実施例のクラゲ駆除装置の平面図である。
【図４】実施例のクラゲの破砕を示す説明図である。
【図５】実施例の他の例のクラゲ駆除装置の一部切欠き側面図である。
【発明を実施するための形態】
【００１０】
本発明では、前記２）記載の構成のように、破砕羽根を回収槽の排出口に対して上下方向へ移設可能に取り付けると、クラゲの大きさに応じて破砕羽根の先端と回収槽の漏斗面との間を適切な間隔に調整でき、汎用性に優れた装置となる。以下、本発明の実施例を図面に基づいて具体的に説明する。
【実施例】
【００１１】
図１〜４に示す実施例は、漁網内のクラゲを駆除して漁網外へ排出するクラゲ駆除装置の例である。図１は実施例のクラゲ駆除装置の使用状態を示す説明図、図２は実施例のクラゲ駆除装置の一部切欠き側面図、図３は実施例のクラゲ駆除装置の平面図、図４は実施例のクラゲの破砕を示す説明図である。
【００１２】
図中、１はフレーム、２は上フレーム、３はフロート、４は回収槽、４ａは開放面、４ｂは排出口、４ｃは接続管、４ｄは漏斗面、５は破砕羽根、６はモーター、７は支持フレーム、７ａはボルト穴、７ｂはボルト、８は回収管、９は船体、１０は吸引ポンプ、Ａはクラゲ駆除装置、Ｆは魚、Ｋはクラゲ、Ｋａは破砕物、Ｓは海、Ｔは漁網である。
【００１３】
図２，３に示すように、フレーム１は金属製で、高さ１６０ｃｍ、幅１００ｃｍ、奥行き１００ｃｍの立体状に枠組みされ、そのフレーム１の上部に高さ５０ｃｍの上フレーム２を取り付け、その上フレーム２の上部の両側位置に円筒状に形成された中空のプラスチック製のフロート３を取り付けている。このフレーム１を海Ｓに投下すると、フレーム１の上端が深さ５０ｃｍほどの海面下に沈んだ状態で浮遊されるようになっている。
【００１４】
回収槽４は金属製で下部が漏斗状に形成され、上面全面は開放し、漏斗部分の下端は内径８ｃｍの排出口４ｂを開口し、その排出口４ｂに内径８ｃｍのＬ字型の接続管４ｃを取り付けている。この回収槽４をその上縁がフレーム１の上端と同じ位置となるようにフレーム１の内側に取り付けている。この回収槽４をフレーム１とともに海Ｓに投下すると、回収槽４の開放面４ａが深さ５０ｃｍほどの海面下に沈んだ状態で浮遊し、海水が開放面４ａと排出口４ｂから流入して満たされるようになっている。
【００１５】
破砕羽根５は先端が鋭利なステンレス製の３枚羽根で、水中用のモーター６を備えている。フレーム１の内側には複数のボルト穴７ａが形成された支持フレーム７を左右に所定間隔をおいて縦向きに取り付けている。この支持フレーム７間にモーター６をその破砕羽根５が下方向への水流を発生できる向きに配置し、モーター６の左右部分を支持フレーム７のボルト穴７ａにボルト７ｂで取り付けている。このモーター６は船体９上で操作できるようになっている。ボルト７ｂを外してモーター６を上下任意の位置で固定すると、クラゲＫの大きさに応じて破砕羽根５の先端と回収槽４の漏斗面４ｄとの間の間隔を調整できるようになっている。
【００１６】
本実施例では、駆除するクラゲＫの大きさに応じてモーター６を任意の位置に固定し、回収槽４の接続管４ｃと船体９の吸引ポンプ１０とを長尺の回収管８で接続し、図１に示すように、漁網Ｔ内においてクラゲＫが多数浮遊する領域にクラゲ駆除装置Ａを投下する。回収槽４はその開放面４ａが深さ５０ｃｍほどの海面下に沈んだ状態に浮遊し、回収槽４内は開放面４ａと排出口４ｂから海水が流入して満たされる。
【００１７】
モーター６と吸引ポンプ１０を作動させると、回収槽４内では破砕羽根５の回転力で下方向への水流が発生するとともに、回収槽４内の海水が吸引ポンプ１０の吸引力で排出口４ｂから接続管４ｃ及び回収管８を通じて船体９へ流れる。これにより、回収槽４の周囲の海水が開放面４ａから槽内へ流れ込み、その流れ込んだ海水が排出口４ｂから排出されて循環的な流れが形成される。
【００１８】
図４に示すように、この海水の流れに乗って付近を浮遊しているクラゲＫがクラゲ駆除装置Ａに接近し、回収槽４の開放面４ａから槽内へ誘導される。回収槽４内に入ったクラゲＫは変形しながら漏斗面４ｄに沿って下方へ移動し、破砕羽根５で破砕される。その破砕物Ｋａは排出口４ｂから海水とともに排出され、接続管４ｃ及び回収管８を通じて船体９へ圧送され、船体９上で脱水処理等が成される。これらの工程を繰り返すことで、漁網Ｔ内に浮遊する多数のクラゲＫが駆除される。
【００１９】
このように、本実施例によれば、クラゲ駆除装置Ａがフロート３で浮遊するから、作業者は従来技術のように船体９からクラゲ駆除装置Ａを支えておく必要がなく、モーター６と吸引ポンプ１０の操作のみで、作業に労力を伴うことなく安全に行えるようになる。また、従来技術のようにクラゲＫを海上へ吸い上げないから、クラゲＫが１ｍ以上の大型の個体であっても比較的低出力のモーター６及び吸引ポンプ１０でクラゲＫを破砕羽根５まで容易に誘導して破砕でき、クラゲ駆除装置Ａの製作及び駆除作業を低コストで実施できるようになる。
【００２０】
図５に示すのは、フロートを片側に取り付けて小型化した実施例のクラゲ駆除装置の他の例である。図５は実施例の他の例のクラゲ駆除装置の一部切欠き側面図である。図５に示すように、外径６００ｍｍの回収槽４の上端片側にフロート３を取り付け、モーター６は回収槽４の漏斗面４ｄに取り付け、フレーム１と上フレーム２と支持フレーム７は省略している。
【００２１】
このクラゲ駆除装置Ａを海Ｓに投下すると、片側のフロート３により回収槽４が傾き、その開放面４ａが海面下に沈んだ状態に配置される。よって、フレーム１及び上フーム２を用いることなく、回収槽４の開放面４ａを海面下に沈めることができ、クラゲ駆除装置Ａを低コストで製作できる。また、回収槽４の傾きで開放面４ａが海面下に深く沈み、クラゲＫをより誘導し易くなって効率的に駆除できる。その他、符号、構成、作用効果は実施例と同じである。
【産業上の利用可能性】
【００２２】
本発明の技術は、エチゼンクラゲ等の大型のクラゲの駆除に有用である。
【符号の説明】
【００２３】
１  フレーム
２  上フレーム
３  フロート
４  回収槽
４ａ  開放面
４ｂ  排出口
４ｃ  接続管
４ｄ  漏斗面
５  破砕羽根
６  モーター
７  支持フレーム
７ａ  ボルト穴
７ｂ  ボルト
８  回収管
９  船体
１０  吸引ポンプ
Ａ  クラゲ駆除装置
Ｆ  魚
Ｋ  クラゲ
Ｋａ  破砕物
Ｓ  海
Ｔ  漁網
【図１】
2011055775.tif 000003
【図２】
2011055775.tif 000004
【図３】
2011055775.tif 000005
【図４】
2011055775.tif 000006
【図５】
2011055775.tif 000007